(57)【要約】  本発明は、排気ガスの一つ以上の成分が酸化触媒（２０）で酸化されるとともに、前記排気ガスの一つ以上の成分が選択的触媒還元触媒（７０）によって脱酸素され、前記排気ガスが前記酸化触媒（２０）から前記選択的触媒還元触媒（７０）へ流れる、エンジン（１２）の排気後処理システム（１０）およびその制御方法に関する。前記一つ以上の成分による所望の比に応じて酸化触媒（２０）を介して前記排気ガスの流れを制御することが提案されており、前記排気ガスが前記一つ以上の成分による前記所望の比で前記選択的触媒還元触媒（７０）へ流入する。前記一つ以上の成分で前記所望の比を設定して、前記選択的触媒還元触媒（７０）における所定の反応温度で、ある特殊な化学反応が、所定温度で前記選択的触媒還元触媒（７０）における前記排気ガスの一つ以上の成分及び前記触媒材料の間で起こる可能な一群の化学反応から選択される。前記選択された化学反応は、選択されていない他の化学反応の各々よりも反応確率が高い。【選択図】図１
2010519458.tif 000002
【特許請求の範囲】
【請求項１】
排気ガスの一つ以上の成分が酸化触媒（２０）で酸化されるとともに、前記排気ガスの一つ以上の成分が前記排気ガスの前記一つ以上の成分と選択的触媒還元触媒（７０）に配置された触媒材料との間で可能なタイプの異なる一群の化学反応によって脱酸素され、前記排気ガスが前記酸化触媒（２０）から前記選択的触媒還元触媒（７０）へ流れる、エンジン（１２）の排気後処理システム（１０）のための制御方法において、
（ａ）前記一つ以上の成分による一対以上の間の少なくとも一つの所望の比に応じて、前記酸化触媒（２０）における前記排気ガスの流れを制御することであって、前記排気ガスが、前記一つ以上の成分による一対以上の間の少なくとも一つの所望の比で前記選択的触媒還元触媒（７０）へ流入することと、
（ｂ）前記選択的触媒還元触媒（７０）の入力において前記一つ以上の成分による一対以上の間の前記少なくとも一つの所望の比を設定することと、
（ｃ）所定の反応温度または温度範囲を選択して、前記選択的触媒還元触媒（７０）において該温度または温度範囲を設定することと、
（ｄ）前記選択的触媒還元触媒（７０）へ前記排気ガスを入力することにより、前記排気ガスの前記一つ以上の成分と前記選択的触媒還元触媒（７０）の前記触媒材料との間で可能な一群の異なる化学反応のうちの一つの特定化学反応が行われる確率を上昇させることであって、選択された前記特定化学反応の反応確率が、選択されていない他の化学反応の各々の反応確率よりも高いことと、
を特徴とする方法。
【請求項２】
前記酸化触媒（２０）を流れる第１部分と、前記酸化触媒（２０）を迂回するバイパスライン（２２）を流れる第２部分とに前記酸化触媒（２０）における前記排気ガスの流れを分割することにより、前記流れを制御することを特徴とする、請求項１に記載の方法。
【請求項３】
前記酸化触媒（２０）における前記排気ガスの空間速度を変化させることにより前記酸化触媒（２０）における前記排気ガスの流れを制御することを特徴とする、請求項１または２に記載の方法。
【請求項４】
選択された化学反応が実施される速度が他の化学反応の各々が実施される速度を少なくとも２倍、好ましくは少なくとも５倍上回るように前記比が設定されることを特徴とする、請求項１乃至３の一つに記載の方法。
【請求項５】
前記一つ以上の成分の間の前記比が、１に近いが好ましくは１を超えないＮＯ２／ＮＯ比である、すなわちＮＯ２／ＮＯ＝０．８±０．２、好ましくはＮＯ２／ＮＯ＝０．９±０．１、最も好ましくはＮＯ２／ＮＯ＝０．９５１±０．０５の比であることを特徴とする、請求項１乃至４の一つに記載の方法。
【請求項６】
前記酸化触媒（２０）と前記選択的触媒還元触媒（７０）との間に配置された粒子フィルタ（６０）に含有される煤煙の量に応じて、前記一つ以上の成分の間の比が設定されることを特徴とする、請求項１乃至５の一つに記載の方法。
【請求項７】
粒子フィルタ（６０）で発生するＮＯ２の量に応じて前記一つ以上の成分の間の比が設定されることを特徴とする、請求項６に記載の方法。
【請求項８】
前記酸化触媒（２０）で発生するＮＯ２の量に応じて前記一つ以上の成分の間の比が設定されることを特徴とする、請求項１乃至７の一つに記載の方法。
【請求項９】
前記酸化触媒（２０）に吸着される硫黄の量に応じて前記一つ以上の成分の間の比が設定されることを特徴とする、請求項１乃至８の一つに記載の方法。
【請求項１０】
前記選択的触媒還元触媒（７０）に提供されるアンモニアの量に応じて前記一つ以上の成分の間の比が設定されることを特徴とする、請求項１乃至９の一つに記載の方法。
【請求項１１】
前記エンジン（１２）の運転パラメータ、および／または前記排気後処理システム（１０）に配置された一つ以上の触媒（２０，６０，７０）の動作パラメータに応じて、前記バイパスライン（２２）へ供給される排気ガスと前記酸化触媒（２０）へ供給される排気ガスとの比が計算されることを特徴とする、請求項１乃至１０の一つに記載の方法。
【請求項１２】
請求項１乃至１１のいずれか一つに記載の方法で作動する、エンジン（１２）の排気ライン（１４）に配置される酸化触媒（２０）と選択的触媒還元触媒（７０）とを少なくとも包含する排気後処理システムにおいて、
前記一つ以上の成分による一対以上の間の少なくとも一つの所望の比に応じて、前記酸化触媒（２０）における前記排気ガスの流れが制御可能であり、前記一つ以上の成分による前記一対以上の間の前記少なくとも一つの所望の比で前記排気ガスが前記選択的触媒還元触媒（７０）へ流入し、
前記選択的触媒還元触媒（７０）の入力において前記一つ以上の成分による前記一対以上の間の前記少なくとも一つの所望の比が設定され、
所定の反応温度または温度範囲が選択可能であって、前記選択的触媒還元触媒（７０）において設定され、
前記選択的触媒還元触媒（７０）へ前記排気ガスを入力することにより、前記排気ガスの前記一つ以上の成分と前記選択的触媒還元触媒（７０）の前記触媒材料との間で可能な一群の異なる化学反応のうちの一つの特定化学反応が行われる確率が上昇し、選択された前記特定化学反応の反応確率が、選択されていない他の化学反応の各々の反応確率よりも高い、
ことを特徴とする排気後処理システム。
【請求項１３】
前記成分の要素の間の所望の比に応じて、前記酸化触媒（２０）と、前記酸化触媒（２０）を迂回するバイパスライン（２２）とにおける前記排気ガスの流れを制御するためのバルブ（３０）が設けられることを特徴とする、請求項１２に記載の排気システム。
【請求項１４】
前記酸化触媒（２０）における前記排気ガスの空間速度を制御するための一つ以上の閉鎖ユニット（２８）が設けられることを特徴とする、請求項１２または１３に記載の排気システム。
【請求項１５】
前記酸化触媒（２０）と前記選択的触媒還元触媒（７０）との間に粒子フィルタ（６０）が配置されることを特徴とする、請求項１２乃至１４の一つに記載の排気システム。
【請求項１６】
前記選択的触媒還元触媒（７０）へ流入する前記排気に含有されるＮＯ２の量を検知するための検知ユニット（４０）が設けられることを特徴とする、請求項１２乃至１５の一つに記載の排気システム。
【請求項１７】
前記粒子フィルタ（６０）の下流の前記排気ライン（１４）に配置されたＮＯ２感知センサ（５０）を前記検知ユニット（４０）が包含することを特徴とする、請求項１６に記載の排気システム。
【請求項１８】
前記エンジン（１２）の運転パラメータ、および／または前記排気後処理システム（１０）に配置された一つ以上の触媒（２０，６０，７０）の動作パラメータに応じて、前記選択的触媒還元触媒（７０）へ流入するＮＯ２の量を計算することにより仮想センサとなる装置（４４）を前記検知ユニット（４０）が包含することを特徴とする、請求項１６または１７に記載の排気システム。
【請求項１９】
（ａ）一つ以上の成分による一対以上の間の少なくとも一つの所望の比に応じて酸化触媒（２０）における排気ガスの流れを制御する段階であって、前記一つ以上の成分による前記一対以上の間の前記少なくとも一つの所望の比で前記排気ガスが選択的触媒還元触媒（７０）へ流入する段階と、
（ｂ）前記選択的触媒還元触媒（７０）の入力において前記一つ以上の成分による前記一対以上の間の前記少なくとも一つの所望の比を設定する段階と、
（ｃ）所定の反応温度または温度範囲を選択して、前記選択的触媒還元触媒（７０）において前記反応温度または温度範囲を設定する段階と、
（ｄ）前記選択的触媒還元触媒（７０）へ前記排気ガスを入力することにより、前記排気ガスの前記一つ以上の成分と前記選択的触媒還元触媒（７０）の触媒材料との間で可能な一群の異なる化学反応のうちの一つの特定化学反応が行われる確率を上昇させ、選択された前記特定化学反応の前記反応確率が、選択されていない他の化学反応の各々の反応確率よりも高い段階と、
を少なくとも包含する方法に使用するためのプログラムコードを包含する、コンピュータ読取媒体に記憶可能なコンピュータプログラム。
【発明の詳細な説明】
【技術分野】
【０００１】
本発明は、独立請求項の前文に記載の排気後処理システムを制御するための制御方法と排気後処理システムとに関連する。
【背景技術】
【０００２】
炭素粒子と、ＮＯｘとも呼ばれるＮＯおよびＮＯ２などの窒素酸化物はともに、ディーゼルエンジンの排気ガス中の典型的な排出物質である。このような排出物質を削減する必要性のため、当該技術では排出物質削減のための様々なアプローチの数が増え、これに着手されている。特許文献１には、煤煙を収集する粒子フィルタと窒素酸化物還元触媒とを排気管において組み合わせる排気後処理システムが開示されている。煤煙を除去するため、酸化触媒ではＮＯの酸化によりＮＯ２が発生される。粒子フィルタで収集された煤煙はＮＯ２により酸化される。選択的触媒還元触媒（ＳＣＲ触媒）にアンモニアを噴射することにより、排気ガス中の残留量のＮＯおよびＮＯ２がＳＣＲ触媒で窒素ガスに還元される。特定のＳＣＲ触媒に適切な酸化触媒を使用することによって、排気ガス中のＮＯ２とＮＯの比が調節される。例えば、Ｐｔ含有量の異なるＰｔ／Ａｌ２Ｏ３酸化触媒では、発生するＮＯ２／ＮＯの比は異なる。金属／ゼオライトのＳＣＲ触媒ではすべてのＮＯがＮＯ２に酸化されるべきであり、希土類系ＳＣＲ触媒では高いＮＯ２／ＮＯ比が望ましいのに対して、遷移金属系ＳＣＲ触媒では、純粋なＮＯ２またはＮＯガスかＮＯ２またはＮＯを主とするガスの代わりに、ＮＯ２とＮＯの混合ガスが好ましい。
【０００３】
酸化触媒の設計では通常、粒子フィルタ中での煤煙の受動燃焼を最適化することとＳＣＲ触媒中のＮＯとＮＯ２の物質変換を最適化することとの間に折り合いをつけなければならない。例えば一定のエンジン負荷では、ＮＯが不充分な量だけＮＯ２に酸化されることで、結果的に粒子フィルタが煤煙で一杯になるとともに、余ったＮＯのためＳＣＲ触媒の効率が低くなる。他のエンジン負荷では、酸化触媒中でのＮＯ２の生成が非常に多量であるため余ったＮＯ２がＳＣＲユニットへ流入して、ＮＯ２とＮ２Ｏの排出物質が生じる結果となる。エンジン負荷が異なると排気ガスの組成は大きく変化する。上述した同時発生プロセスでは、煤煙の酸化とＮＯｘの物質変換とを同時に満足させるのはエンジン負荷の狭い範囲のみであり、その結果、排気ガスの多様な種類の成分の量が異なることになる。
【先行技術文献】
【特許文献】
【０００４】
【特許文献１】欧州特許第１  ０５４  ７２２号明細書
【特許文献２】国際公開第２００２／１４６５７号パンフレット
【発明の概要】
【発明が解決しようとする課題】
【０００５】
広範囲のエンジン負荷および排気ガス組成について排気後処理システムを制御するための改良制御方法を提供することが、本発明の目的である。広範囲のエンジン負荷および排気ガス組成で発生する排気ガスを処理できる改良排気後処理システムを提供することが、本発明の別の目的である。
【課題を解決するための手段】
【０００６】
かかる目的は、独立請求項の特徴により達成される。他の請求項および説明には、本発明の好都合な実施例が開示されている。
【０００７】
本発明の第一の面によれば、排気ガスの一つ以上の成分が酸化触媒で酸化されるとともに排気ガスの一つ以上の成分が選択的触媒還元触媒で還元されて、酸化触媒から選択的触媒還元触媒へ排気ガスが流れる、エンジンの排気後処理システムのための制御方法が提案される。本文では、「選択的触媒還元触媒」という表現の代わりに、その略語である「ＳＣＲ触媒」が時折使用される。酸化触媒における排気ガスの流れは、望ましい成分比に応じて制御され、排気ガスは所望の成分比でＳＣＲ触媒へ流入する。ＳＣＲ触媒での所与の反応温度において、排気の成分とＳＣＲ触媒の触媒材料との間で起こる可能性のある一群の化学反応から一つの特定化学反応が選択されるように成分比が設定され、選択される特定の化学反応は、他の化学反応の各々よりも実行される確率が高い。
【０００８】
例えば、酸化触媒を迂回する固定または可変のバイパスを用いることにより、または酸化触媒における排気ガス流の空間速度を変化させることにより、様々な方法で流れの制御が行われる。一般的に、化学反応器設計の空間速度は、供給物の容積流量と反応器容積との関係を表す。空間速度は、単位時間にどれだけの反応器容積の供給物が処理されるかを示す。
【０００９】
酸化触媒とＳＣＲ触媒との間に配置された粒子フィルタについて、排気ガスの成分の選択的触媒還元の効率が最適化されるのと同時に、良好な動作条件が得られると好都合である。エンジンの数少ない動作点の付近のみで動作を行う先行技術システムと比較すると、排気後処理システムが動作を行う動作領域がかなり拡大される。この方法では、コスト、パッケージング、耐久性に関して効率的な排気後処理が可能となる。
【００１０】
制御方法の好適な発展形では、酸化触媒を流れる第１部分と、酸化触媒を迂回するバイパスラインを流れる第２部分とに流れを分割することにより、排気ガスの流れの制御が実施される。これは、バイパス中の排気ガスの量を制御する制御可能バルブを用いることなどによって容易に行われる。バイパスラインには、触媒要素、特に酸化触媒が設けられないことが好ましい。しかし一般的には、触媒要素、特に酸化触媒がバイパスラインに設けられてもよい。
【００１１】
好適な発展形では、酸化触媒における排気ガスの流れの制御は、酸化触媒における排気ガスの流速を変化させることによって実施される。これは、触媒への流れの分布の変化を可能にする内部バイパスを酸化触媒の内部で用いることによって行われる。排気ガスを誘導するためのフローガイドを用いて、触媒の一部を被覆することで排気ガスに対して触媒を遮蔽すること、および／または、酸化触媒の入口および／または出口ポートを被覆するバルブを開放することにより、流れの分布が変化する。効果をさらに高めるため、触媒活性材料を触媒に不均一に分散させることとこれを組み合わせることができる。一般的に、排気ガス流の空間速度を変化させる可能性との組合せで外部バイパスを設けることが可能である。
【００１２】
好ましくは、実施されるように選択された化学反応の速度が、実施される他の化学反応の各々の速度を、少なくとも２倍、好ましくは５倍、特に好ましくは１０倍だけ上回るように、比が設定される。速度は１／時間単位（反応数／時間単位）である。
【００１３】
すなわち、成分比は、１に近いが好ましくは１を超えないＮＯ２／ＮＯの比であり、すなわちＮＯ２／ＮＯ＝０．８±０．２、好ましくはＮＯ２／ＮＯ＝０．９±０．１、最も好ましくはＮＯ２／ＮＯ＝０．９５±０．０５である。１に近い比を選ぶことにより、ＳＣＲ触媒の存在下でＮＯに加えてＮＯ２およびＮＨ３をＮ２ガスおよび水に還元する高速で高効率の化学反応を開始させることが可能である。この反応は、２００℃未満からそれ以上の広範囲の排気ガス温度について好都合である。ＮＯ２およびＮＯの量、つまりＳＣＲ触媒中に存在するＮＯ２／ＮＯの比に応じて、他の化学反応が可能である。しかし、これらの反応は一般的に時間がかかり、Ｎ２Ｏなどを発生させる競争反応となる傾向がある。
【００１４】
好適な発展形によれば、酸化触媒とＳＣＲ触媒との間に配置された粒子フィルタに含有される煤煙の量に応じて、付加的または代替的に成分比が設定される。酸化触媒で発生するＮＯ２は、粒子フィルタに捕捉された煤煙を酸化させる。必要とされるＮＯ２の量は、粒子フィルタの煤煙の量とともに変化する。粒子フィルタで発生するＮＯ２の量に応じて、成分の一部の間の比が設定されると好都合である。粒子フィルタは酸化触媒を包含するためＮＯ２を発生させて、酸化触媒で発生するＮＯ２にこれが追加される。
【００１５】
好適な別の発展形によれば、酸化触媒で発生するＮＯ２の量に応じて成分比が付加的または代替的に設定される。酸化触媒は、粒子フィルタでの煤煙の受動酸化と、ＳＣＲ触媒での選択的触媒還元の両方についてＮＯ２を発生させる。粒子フィルタで発生したＮＯ２が反応して煤煙のＮＯに戻るため、粒子フィルタで生成されるＮＯ２とＮＯの量は、粒子フィルタの状態、例えば煤煙の量と、反応温度つまり排気温度に大きく左右され、選択される特定の化学反応は、他の化学反応の各々よりも実施される確率が高い。
【００１６】
酸化触媒で吸着される硫黄の量に応じて、付加的または代替的に成分比が設定される。酸化触媒は低い排気ガス温度で硫黄を吸収し、３５０℃を超える温度で硫黄を放出する。エンジンの動作条件により、排気ガスに含有される多量の硫黄を酸化触媒が吸着する場合には、酸化触媒でのＮＯ２生成が悪影響を受ける。
【００１７】
好ましくは付加的または代替的に、ＳＣＲ触媒に加えられるアンモニアの量に応じて成分比が設定される。ＳＣＲ触媒では、アンモニアがＮＯｘと反応して窒素を生成する。車両では排気ガスに尿素が噴射され、排気温度によって、排気ガスおよび触媒で尿素が熱化および／または加水分解されてアンモニアとなる。
【００１８】
付加的または代替的に、エンジンの動作パラメータおよび／または排気後処理システムに配置された一つ以上の触媒の動作パラメータに応じて、酸化触媒中での排気ガスの空間速度、および／または、バイパスラインへ供給される排気ガスの割合および酸化触媒へ供給される排気ガスの割合が制御される。結果的に、エンジンおよび排気後処理システムのモデルを用いて、関連のパラメータ、すなわちＳＣＲ触媒の入口での排気ガスのＮＯ２およびＮＯ含有量を計算する仮想センを、ＮＯｘまたはＮＯ２センサの代わりに使用できる。排気ガス流、酸化触媒および粒子フィルタの温度、エンジンからのＮＯおよびＮＯ２の流れ、エンジンからの煤煙の流れ、および／または粒子フィルタでの煤煙負荷などのパラメータが入手可能であることが好ましい。パラメータの一部は測定され、他のパラメータは他のセンサおよびエンジンパラメータから計算される。
【００１９】
本発明の別の面によれば、エンジンの排気ラインに配置された酸化触媒とＳＣＲ触媒とを少なくとも包含する排気後処理システムが提案され、
一つ以上の成分による一対以上の間の少なくとも一つの所望の比に応じて、酸化触媒における排気ガスの流れが制御可能であり、一つ以上の成分による一対以上の間の少なくとも一つの所望の比で、排気ガスが選択的触媒還元触媒へ流入し、
選択的触媒還元触媒の入口における一つ以上の成分による一対以上の間の少なくとも一つの所望の比が設定され、
所定の反応温度または温度範囲が選択可能であって、選択的触媒還元触媒で設定され、
選択的触媒還元触媒へ排気ガスを入力することによって、排気ガスの一つ以上の成分と選択的触媒還元触媒の触媒材料との間で可能な異なる化学反応のグループのうち一つの特定化学反応が行われる確率が上昇し、選択される特定の化学反応の反応確率が、選択されていない他の化学反応の各々の反応確率よりも高い。
【００２０】
排気後処理システムは、一つ以上の成分による一対以上の間の少なくとも一つの所望の比に応じて酸化触媒をおける排気ガスの流れを制御するための検知ユニットを包含することが好ましく、排気ガスは、一つ以上の成分による一対以上の間の少なくとも一つの所望の比で選択的触媒還元触媒へ流入し、選択的触媒還元触媒の入力における一つ以上の成分による一対以上の間の少なくとも一つの所望の比を設定するため、少なくとも一つのユニットが酸化触媒および／または粒子フィルタに結合され、選択的触媒還元触媒では、所定の反応温度または温度範囲が選択および設定される。酸化触媒における流れの制御は、酸化触媒を迂回する外部バイパスラインによって実施される。制御可能バルブが、酸化触媒を流れて酸化物、例えばＮＯ２を発生させる排気ガスの割合と、バイパスラインを流れる排気ガスの割合とを変化させることが好ましい。一般的に、より小型で効率の低いものなどの酸化触媒がバイパスラインにも設けられるため、酸化物の生成は主として、迂回されたメインの酸化触媒で実施される。
【００２１】
代替的または付加的に、酸化触媒を流れる排気ガスの空間速度を制御することにより流れの制御が実施される。酸化触媒の通路またはエリアを閉鎖または開放することで排気ガスが通過できる触媒容積を増減して空間速度を上昇または低下させる一つ以上の閉鎖ユニットが設けられることが好ましい。空間速度の上昇は、酸化される物質の減少という結果を生み、空間速度の低下は酸化される物質の増加という結果を招く。
【００２２】
酸化触媒とＳＣＲ触媒との間に粒子フィルタが配置されることが好ましい。粒子フィルタに捕捉された煤煙は、酸化触媒で発生する酸化物質、すなわちＮＯ２により酸化される。
【００２３】
ＳＣＲ触媒へ流入する排気に含有されるＮＯ２の量を検知するための検知ユニットを設けることができる。検知ユニットは、酸化触媒の外部のバイパスラインのバルブを制御するため、および／または、酸化触媒の一部の開放または閉鎖の結果として酸化触媒の空間速度を変化させるための酸化触媒の一つ以上の閉鎖ユニットを制御するための制御ユニットを包含する。任意で、粒子フィルタの下流の排気ラインに配置されたＮＯ２感知センサを包含すると好都合である。任意であるが、エンジンの動作パラメータ、および／または排気後処理システムに配置された一つ以上の触媒の動作パラメータに応じて、ＳＣＲ触媒へ流入するＮＯ２の量および／またはＮＯ２／ＮＯの比を計算することで仮想センサとなる装置を検知ユニットが包含してもよい。
【００２４】
本発明の別の面によれば、コンピュータ読取媒体に記憶可能なコンピュータプログラムは、少なくとも以下の段階を包含する方法に使用するためのプログラムコードを包含する。
（ａ）一つ以上の成分による一対以上の間の少なくとも一つの所望の比に応じて、酸化触媒における排気ガスの流れを制御する段階。排気ガスは、一つ以上の成分による一対以上の間の少なくとも一つの所望の比で選択的触媒還元触媒（７０）へ流入する。
（ｂ）選択的触媒還元触媒の入力において一つ以上の成分による一対以上の間の少なくとも一つの所望の比を設定する段階。
（ｃ）所定の反応温度または温度範囲を選択して、選択的触媒還元触媒でこれを設定する段階。
（ｄ）選択的触媒還元触媒へ排気ガスを入力することによって、排気ガスの一つ以上の成分と選択的触媒還元触媒の触媒材料との間で可能な異なる化学反応のグループのうちの一つの特定化学反応が行われる確率を上昇させる段階。選択された特定化学反応の反応確率は、選択されていない他の化学反応の各々の反応確率よりも高い。
【図面の簡単な説明】
【００２５】
本発明は、上述した目的および長所と他の目的および長所とともに、実施例についての以下の詳細な説明から最も良く理解されるであろうが、発明が実施例に限定されることはない。概略図示されているのは以下の通りである。
【図１】本発明による排気後処理システムの第一実施例を示す。
【図２ａ】本発明による排気後処理システムの第二実施例であり、異なる動作モードにおける酸化触媒での排気ガスの可変空間速度を示す。
【図２ｂ】本発明による排気後処理システムの第二実施例であり、異なる動作モードにおける酸化触媒での排気ガスの可変空間速度を示す。
【図３】好適な閉鎖ユニットと組み合わされた好適な酸化触媒の詳細を示す。
【図４】煤煙負荷および硫黄負荷が異なる場合の温度依存のＮＯ２／ＮＯｘ比を示す。
【図５】排気ガスの可変空間速度とバイパスラインとを組み合わせた、本発明による排気後処理システムの第三実施例を示す。
【発明を実施するための形態】
【００２６】
図面では、同一または類似の要素には同一の参照番号が付けられている。図面は単に概略を描いたものであって、本発明の特定のパラメータを記す意図はない。さらに、図面は本発明の典型的な実施例を図示しようとするものであるため、発明の範囲を限定するものと考えるべきではない。
【００２７】
図１および図２ａ，２ｂは、本発明による排気後処理システム１０の好適な実施例を図示している。エンジン１２の排気ライン１４には、酸化触媒２０と粒子フィルタ６０とＳＣＲ触媒７０とがこの順で配置されている。
【００２８】
図示される実施例すべてにおいて、酸化触媒２０は一般的に触媒活性材料で被覆され、炭化水素（ＨＣ）、一酸化炭素（ＣＯ）、一酸化窒素（ＮＯ）など、排気ガスの一つ以上の成分を酸化するように設けられている。酸化の効率は、反応温度つまり排気温度と、酸化触媒２０における排気ガス流の空間速度と、排気ガス組成とに左右される。排気ライン１４、つまり酸化触媒２０と粒子フィルタ６０とＳＣＲ触媒７０とにおける温度は、排気ガスへのＨＣ噴射、エンジン１２における後噴射の遅延、粒子フィルタ６０の再生などのための触媒または火炎バーナーなどの設置、酸化触媒２０の活性の制御、そしてＳＣＲ触媒７０における選択的接触還元（ＳＣＲ）に好都合な温度の達成など、当該技術で周知の手段（不図示）により制御される。付加的に、排気後処理システム１０におけるＮＯ２含有量を制御するのにＨＣ噴射が使用されることが可能である。
【００２９】
ＮＯ＋１／２Ｏ２→ＮＯ２の反応によって粒子フィルタ６０に捕捉された煤煙の受動酸化に充分な量のＮＯ２を発生させるのに、酸化触媒２０が使用されることが好ましい。
【００３０】
粒子フィルタ６０の主な機能は、排気ガスに含有される煤煙や灰などの粒子物質を捕捉することである。典型的な車両の排気後処理システム１０では、粒子フィルタ６０が灰で一杯になるのに十万ｋｍから数十万ｋｍの走行が必要であり、点検時に粒子フィルタ６０を取り外すことにより粒子フィルタ６０の灰が空になる。粒子フィルタ６０が煤煙で一杯になるのに必要なのは、わずか千ｋｍから数千ｋｍの走行である。しかし、煤煙が燃焼するとＣＯ２になり、これは車両の運転中に行われる。
【００３１】
用途によっては、酸化触媒の性質を含む触媒活性材料で粒子フィルタ６０を被覆して、特許文献２に開示されているような粒子フィルタ６０とすることが有益である。粒子フィルタ６０を適切に機能させるには、粒子フィルタ６０に捕捉される煤煙の量を制御することが勧められる。粒子フィルタ６０の再生は、当該技術で周知の様々な方法で実施される。２ＮＯ２＋Ｃ→２ＮＯ＋ＣＯ２の反応にしたがって、捕捉された煤煙の受動酸化にＮＯ２が使用されることが好ましい。
【００３２】
効率的な受動再生のため、排気ガス温度を臨界リミットより上、好ましくは２５０℃より上に設定して、適切な量のＮＯ２を提供することが必要である。粒子フィルタ６０へ供給される排気ガス中のＮＯ２の量は、ＮＯからＮＯ２への酸化により、酸化触媒２０によって増加する。
【００３３】
エンジン１２からの煤煙とＮＯｘ（ＮＯｘ＝ＮＯ，ＮＯ２）の排出に応じて、２５０℃を上回る排気温度での煤煙の受動燃焼は、粒子フィルタ６０の煤煙レベルを低く維持する。しかし、あるエンジン排出物質については、ＮＯｘ／煤煙の比は、ＮＯ２による煤煙の燃焼には低すぎる。煤煙の受動燃焼に代わって、高温、好ましくは約６００℃での酸素による燃焼によって煤煙を除去できる。これは、排気後処理システム１０にバーナーを設けることによって、または粒子フィルタ６０の上流の酸化触媒で燃焼される排気ガスへ燃料を追加することにより実施される。バーナーの起動または燃料の追加は、一般的には４分の一から４分の３時間の範囲である再生段階で行われる。
【００３４】
粒子フィルタ６０の下流およびＳＣＲ触媒７０の上流では、排気ガスはＮＯおよびＮＯ２のような一つ以上の成分を含有し、これらはＳＣＲ触媒７０で脱酸素される。
【００３５】
ＳＣＲ触媒７０の主な仕事は、ＮＯｘつまりＮＯおよびＮＯ２を還元剤で還元して、窒素ガスＮ２および水Ｈ２Ｏにすることである。ＳＣＲ触媒７０では、アンモニアＮＨ３がＮＯｘと反応して窒素を生成する。通常、車両では排気ガスに尿素が噴射され、排気ガス温度により、排気ガスおよび触媒７０では尿素がＮＨ３に熱化または加水分解される。ＮＨ３または尿素などの還元剤は、例えば噴射器６２（ＳＣＲ触媒７０の上流に太い矢印で表示）によりＳＣＲ触媒７０の上流で排気ガスに追加される。ＳＣＲ触媒７０の効率は、排気ガス温度、排気ガスの空間速度、そしてＳＣＲ触媒７０へ流入する排気ガス中のＮＯ２／ＮＯ比に大きく左右される。
【００３６】
ＮＯｘの種類に応じて、三種類の主な化学反応が可能である。
（ａ）４ＮＯ＋４ＮＨ３＋Ｏ２→４Ｎ２＋６Ｈ２Ｏ
（ｂ）ＮＯ＋ＮＯ２＋２ＮＨ３→２Ｎ２＋３Ｈ２Ｏ
（ｃ）６ＮＯ２＋８ＮＨ３→７Ｎ２＋１２Ｈ２Ｏ
反応（ｂ）、つまり排気ガスがＮＯ２とＮＯを等しく、または少なくともほぼ等しい量で含有する反応は、効率が最も高く、２００℃を下回る排気温度から上で効率的である。反応（ａ）、つまり排気ガス中のＮＯｘが主としてＮＯで構成される反応では、３００℃で効率的となり、反応（ｃ）、つまり排気ガス中のＮＯｘが主としてＮＯ２で構成される反応では、バナジウム系ＳＣＲ触媒では効率は反応（ａ）より低いのに対して、ゼオライト系触媒では反応（ａ）よりも効率的であるが反応（ｂ）ほど効率的でない。さらに、ゼオライト系触媒では、温室効果ガスＮ２Ｏを発生させる反応（ｃ）の競争反応、つまり（ｄ）４ＮＯ２＋４ＮＨ３→２Ｎ２Ｏ＋２Ｎ２＋６Ｈ２Ｏが存在するため、好都合でない。
【００３７】
ゆえに、高い効率のためには、ＳＣＲ触媒７０へのＮＯ２／ＮＯｘ比が０．５（つまりＮＯ２／ＮＯ比は１）であると好都合であるが、バナジウム触媒の効率が最低になるため、またはゼオライトが使用される場合にＮ２Ｏの生成を回避するため、これより高いＮＯ２／ＮＯ比は避けるべきである。さらに、粒子フィルタ６０の受動再生は、ＮＯ２濃度が高いと有利である。そのため、理想的なＮＯ２／ＮＯ比は１であって、少なくとも１に近い比が好都合であるが、１を超えないことが好ましい。すなわち、ＮＯ２／ＮＯ＝０．８±０．２、好ましくはＮＯ２／ＮＯ＝０．９±０．１、最も好ましくはＮＯ２／ＮＯ＝０．９５±０．０５となる比が選択される。ＮＯ２／ＮＯ比が１に近い場合には、反応（ｂ）が実施される確率が最高となる。
【００３８】
図４に見られるように、ＮＯ２の生成は、排気ガスの質量流量と酸化触媒２０の温度とに左右される。図４は、酸化触媒２０および粒子フィルタ６０の下流の酸化触媒２０における反応温度と相関させてＮＯ２／ＮＯｘ比を図示したものである。流量と温度に依存することのほかに、酸化触媒２０は、排気ガスに含有される硫黄を低温で吸着し、３５０℃を上回る温度で硫黄を放出する。運転条件により酸化触媒２０が多量の硫黄を吸着する場合には、ＮＯ２生成が悪影響を受ける。粒子フィルタ６０の後でのＮＯ２含有量も、粒子フィルタ６０の状態に左右される。粒子フィルタ６０でもＮＯ２生成が行われるように、粒子フィルタに酸化触媒が被覆されてもよい。この時、ＮＯ２が反応して煤煙のＮＯに戻るが、これは粒子フィルタ６０の煤煙の量と温度とに左右される。
【００３９】
すなわち、曲線Ａは、粒子フィルタ６０における煤煙負荷が低い場合のＮＯ２／ＮＯｘ比が温度依存性を示し、２５０℃と３００℃との間で約０．７５の最大値が見られることが分かる。曲線Ｂは排気流が多く煤煙負荷が低い場合を表し、曲線Ａよりも高い約３００℃の温度で最大値が約０．６と低いことを示す。曲線Ｃは粒子フィルタ６０での煤煙負荷が高い場合を表し、曲線ＡおよびＢと比較して低い約２５０℃の温度で、さらに低い０．５に近い最大値が見られることを示し、曲線Ｄは、煤煙負荷が低く、酸化触媒２０が硫黄による悪影響を受けている場合を表し、曲線Ａ，Ｂ，Ｃと比較して高い３００℃と４００℃の間の温度で約０．５と低い最大値が見られることを示す。
【００４０】
エンジン１２が始動する時、最初は煤煙負荷が見られず、結果的に粒子フィルタ６０では煤煙の燃焼は行われない。しかし、エンジン１２によって煤煙が排出され、粒子フィルタ６０には煤煙フィルタケークが蓄積され始める。煤煙のフィルタケークは、煤煙が収集される速度が煤煙がＮＯ２と反応する速度と等しい平衡状態に対応する厚さまで蓄積される。高い負荷では、一般的に排気温度が高くなるとこの反応はより短時間で行われ、粒子フィルタ６０の煤煙の量が低負荷の場合よりも少ないことを意味する。平衡状態に達する時間は数分から数時間の範囲である。例えば、一時間の都市部運転など低負荷から高負荷への移行は、半時間の運転よりも高負荷段階での開始時にフィルタケークが厚いことを意味する。
【００４１】
好適な制御方法では本質的に、粒子フィルタ６０中の煤煙負荷に加えて酸化触媒２０での硫黄負荷を考慮できるため、好都合である。
【００４２】
エンジン１２の負荷条件を変化させるため、ＮＯ２／ＮＯ比は所定の値に維持されることが好ましい。比は１に近くなるように選択されることが好ましいが、１を超えないことが好ましく、例えばＮＯ２／ＮＯ＝０．８±０．２、好ましくはＮＯ２／ＮＯ＝０．９±０．１、最も好ましくはＮＯ２／ＮＯ＝０．９５±０．０５である。ＳＣＲ触媒７０へ流入する前にＮＯ２／ＮＯｘ比が０．５を超えない（つまりＮＯ２／ＮＯが１を超えない）ように、特にＮＯ２センサを利用して充分な排気流をバイパスライン２２に通過させるという方法で酸化触媒２０における流れを制御することによって、これが行われることが好ましい。このようにして、受動的な煤煙酸化（Ｃ＋２ＮＯ２→ＣＯ２＋２ＮＯ）が実施されるとともに、短時間で非常に選択的なＳＣＲ反応（２ＮＨ３＋ＮＯ＋ＮＯ２→２Ｎ２＋３Ｈ２Ｏ）が優先されて、時間のかかる非選択的な反応（３ＮＯ２＋４ＮＨ３など）が抑えられ、これがＮＯ２とＮ２Ｏの排出を抑制する。選択された化学反応（ｂ）が実施される確率が他の化学反応の各々が実施される確率を上回るように、要求される１を超えないＮＯ２／ＮＯ比が設定されることが好ましい。この反応も高い効率を持つので、両方の成分ＮＯ２とＮＯが存在していて、特にＮＯ２／ＮＯ比が１に近いならば、この反応が高い速度で自動的に開始される。反応速度は、やはり高くなる特定の化学反応の確率に対応する。
【００４３】
図１に示された粒子フィルタ６０の下流に設けられたＮＯ２センサ５０を利用して制御が実施されることが好ましい。任意であるが、センサ５０がＳＣＲ触媒７０の下流に設けられて応答を遅延させてもよい。排気流、酸化触媒２０および粒子フィルタ５０の温度、エンジン１２からのＮＯおよびＮＯ２の流れ、エンジン１２からの煤煙の流れ、そして粒子フィルタ６０での煤煙負荷など入手可能なパラメータからＮＯ２含有量を計算する仮想センサを、ＮＯ２センサ５０の代わりに設けてもよい。パラメータのいくつかは測定され、いくつかは他のセンサまたはエンジンパラメータから計算される。
【００４４】
好適な制御方法では、標準的なＰＩＤ制御装置（ＰＩＤ＝比例‐積分‐微分）などによりＮＯ２およびＮＯｘセンサ信号に左右されるバイパスライン２２のバルブ設定を変化させることなどにより、酸化触媒における流れを変化させることができる。入力パラメータとしての、排気ガス質量流量、酸化触媒２０の温度、酸化触媒２０の硫黄含有量、そして粒子フィルタ６０の煤煙負荷に基づく四次元マップを構築することにより、閉ループ制御が使用される。四次元マップは、例えば図４に示されたような曲線に基づいて構築される。しかし、センサ５０のための二つのパラメータである煤煙負荷および硫黄含有量は、仮想センサと同様にして計算されるべきである。
【００４５】
仮想ＮＯｘセンサは、かなり複雑なモデルであり、引用符が付けられた以下のサブモデルで構成されることが好ましい。
【００４６】
「エンジン排出ＮＯｘ」：例えば以下の入力によりセンサまたはモデルによって、エンジンの出口におけるＮＯｘの量が推定される。負荷または燃料の量、燃料噴射のタイミング、エンジン速度、吸気圧、吸気温度、ＥＧＲ（ＥＧＲ＝排気ガス再循環）の量、吸気湿度。これらはエンジンのパラメータであり、検知される値である。モデルを構築するにはいくつかの方法がある。これはマップに基づき、関連するパラメータのすべてまたは少なくともいくつかがマップに規定された補正係数により補正されるか、それが可能である。ベースとしてのニューラルネットワークに構築されたモデルでもよい。
【００４７】
「排気ガス流」：排気ガス流は測定されるか、測定された吸気流量および燃料の量から、またはエンジン速度、吸気圧、吸気温度、ＥＧＲ量、エンジンの容積効率から計算された吸気流から導出される。
【００４８】
「酸化触媒における排気ガス流」：酸化触媒２０の排気ガス流は測定されるか、バルブ開口度から計算される。
【００４９】
「触媒の温度」：温度は、酸化触媒２０の上流などで測定される。適切な信号フィルタを使用することにより、測定値は、パラメータとしての酸化触媒２０への排気ガス流とともに、実際の触媒温度を表す。代替的に、簡単な熱収支を用いることで温度を計算することができる。
【００５０】
「酸化触媒中の硫黄」：酸化触媒２０中の硫黄含有量が計算されることが好ましい。例えば、括弧内のパラメータから計算を導出できる。（触媒中の硫黄含有量）＝（１秒前の触媒中の硫黄含有量）＋（１秒間に排気から吸着された硫黄）−（１秒間に脱着された硫黄）。「１秒間に排気から吸着された硫黄」というパラメータは、この１秒間に消費された燃料および潤滑油中の硫黄含有量に係数を掛けたものであり、係数は０と１との間であり、例えば係数の温度依存値を含むマップから導出される温度依存性を持つ。「１秒間に脱着された硫黄」というパラメータは、１秒前の酸化触媒２０中の硫黄含有量に、上述した第１係数と同じように導出された別の温度依存係数を掛けたものである。
【００５１】
「触媒でのＮＯ２生成」：酸化触媒２０でのＮＯ２の生成は、排気ガス流、触媒の温度、硫黄含有量などのパラメータに基づく三次元マップへの挿入から導出される。入力パラメータとしての硫黄含有量、温度、排気ガス流、酸素濃度による物理的モデルを用いて計算することも可能である。モデルは、ｋ１・ＣＮＯ・ＣＯ２である固有のＮＯ２生成速度およびｋ２・ＣＮＯ２であるＮＯ２分解速度などであって、ｋ１およびｋ２は温度依存および硫黄含有量依存のパラメータであり、ＣはＮＯ，ＮＯ２，Ｏ２のそれぞれの濃度である。触媒容積にわたる固有速度の総和が示される。エンジン動作エリアのＨＣ含有量が広範囲に及ぶ場合、またはＨＣ噴射器が使用される場合には、ＨＣレベルは、固有速度（１＋Ｋａ・ＣＨＣ）の分母などとしてのモデルへの入力パラメータでもある。Ｋａは（温度依存）平衡定数である。
【００５２】
「粒子フィルタからのＮＯ２」：粒子フィルタ６０から放出されるＮＯ２の量は、粒子フィルタ６０へ供給されるＮＯ２の量と、粒子フィルタ６０で生成されるＮＯ２（ＮＯ２発生のため粒子フィルタ６０に触媒層が設けられていない場合にはゼロ）と、粒子フィルタ６０で煤煙により消費されるＮＯ２との差である。粒子フィルタ６０で生成されるＮＯ２は、酸化触媒２０（上記参照）で生成されるＮＯ２と同じように、好ましくは物理モデルとして計算される。粒子フィルタ６０の煤煙により消費されるＮＯ２は粒子フィルタ６０の煤煙の量に比例し、固有速度ｋ３・ＣＮＯ２・Ｃｓｏｏｔとして表される。また、Ｋ３は温度依存のパラメータであり、ＣはＮＯ２および煤煙のそれぞれの濃度である。
【００５３】
「粒子フィルタにおける煤煙負荷」：粒子フィルタ６０における煤煙負荷は、粒子フィルタ６０で測定された圧力低下から、および／または（現時点での粒子フィルタ６０の煤煙）＝（現時点の前の時点での粒子フィルタ６０の煤煙）＋（現時点でエンジンから排出される煤煙）−（現時点でＮＯ２により燃焼される煤煙）のモデルを適用することにより導出される。現時点でＮＯ２により燃焼される煤煙は、「粒子フィルタからのＮＯ２」のモデルによって得られ、現時点でエンジンにより排出される煤煙は煤煙センサまたは「エンジン排出ＮＯｘ」モデルと類似のモデルから得られる。粒子フィルタ６０における煤煙量の計算に圧力低下を利用すると、煤煙の特徴が時間とともに変化するという事実のためいくらかの誤差が発生する。そのため、煤煙負荷を計算するためのモデルを使用することと、モデルの質的チェックとして圧力低下を使用することが好ましい。
【００５４】
成分間の所望の比、特にＮＯ２／ＮＯ比に応じて酸化触媒２０における排気ガスの流れを制御することにより、そして、ＳＣＲ触媒７０の所与の反応温度において、排気ガスの成分およびＳＣＲ触媒７０の触媒材料の間で行われる可能性のある化学反応（ａ），（ｂ），（ｃ）のグループから一つの特定化学反応、特に反応（ｂ）が選択されるように、成分間の比を設定することにより、ＮＯ，ＮＯ２、そして同時に煤煙の効率的な除去が実施される。
【００５５】
さて、本発明による好適な実施例を示す図１を特に参照すると、酸化触媒２０における排気流を制御するため第１流量制御装置が設けられる。流量制御装置は、酸化触媒２０へ流入する第１部分とバイパスライン２２へ流入する第２部分とに分割することにより排気ガス流量を制御する制御可能バルブ３０として設計される。両方の流部分は、粒子フィルタ６０の上流で再び混合される。排気ガスが酸化触媒２０を迂回するためのバイパスライン２２が、酸化触媒２０の外部に設けられる。バイパスライン２２は、酸化触媒２０の上流の第１分岐点１６を始点とし、酸化触媒２０の下流の第２分岐点１８を終点とする。
【００５６】
酸化触媒２０における排気ガスの流れは、排気ガスの成分の要素の間、特にＮＯ２とＮＯとの間の所望の比に応じて制御可能である。予め決定されたＮＯ２／ＮＯの比は、エンジン１２の運転が変化する間、維持される。付加的に、別の好都合な実施例（不図示）によれば、バイパスライン２２（図１）に酸化触媒が設けられることで、この機構の空間速度を変化させられる。
【００５７】
さて再び図４を参照するが、一例を挙げると、曲線Ａの点Ａ１は、約３５０℃においてエンジン負荷が高く、粒子フィルタ６０の煤煙負荷が低い時の停留条件を示す。厚いフィルタケークは曲線Ｃの点Ｃ１に対応する。温度のみに基づく制御方法では、有効なＮＯ２の量の大きな差を考慮していない。バイパスライン２２が開かれてＮＯ２含有量を減少させ、酸化触媒２０の温度変化のため、典型的な時間尺度である１分間に排気ガスのおよそ１／４が迂回される。しかし、この１分間で粒子フィルタ６０の煤煙負荷はそれほど変化しないため、ＮＯ２／ＮＯ比は好適な比よりもはるかに低くなるだろう。酸化触媒２０への硫黄による悪影響（曲線Ｄ）を考慮すると、この制御方法で温度のみを考慮する場合、ＮＯ２の量は非常に低いため、平衡状態では粒子フィルタ６０にとって臨界値である厚さのフィルタケークが形成されるだろう。好適な制御方法では本来、粒子フィルタ６０の煤煙負荷の変化についての時間尺度に加えて、酸化触媒２０での硫黄の影響を考慮に入れると好都合である。
【００５８】
粒子フィルタ６０とＳＣＲ触媒７０との間には、ＳＣＲ触媒７０へ流入する排気に含有されるＮＯ２の量を検知するための検知ユニット４０が設けられている。検知ユニット４０は、粒子フィルタ６０の下流の排気ライン１４に配置されたＮＯ２感知センサ５０と、それぞれデータライン４８，４６を介してセンサ５０およびバルブ３０に接続された制御ユニット４２とを包含する。任意で、上述したようにエンジン１２の動作パラメータなどのパラメータ６６、および／または、排気後処理システム１０に配置された一つ以上の触媒２０，６０，７０の動作パラメータに応じて、ＳＣＲ触媒７０へ流入するＮＯ２の量を計算するため、装置４４が制御ユニット４２に結合されてもよい。
【００５９】
図２ａおよび２ｂは、酸化触媒２０における流れの制御の代わりに、酸化触媒２０における排気ガスの空間速度を変化させる、本発明の別の好適な実施例を示す。排気後処理システム１０の全体構造は、図１に記されたものと同じである。不必要な反復を避けるため、酸化触媒１０における流れの制御に関連する図２ａ，２ｂの二つの実施例の間の相違について主に説明する。同一の部品および構成については、図１の説明を参照すること。
【００６０】
図１の実施例のバルブ３０の代わりに、図２ａおよび２ｂでは、酸化触媒２０に結合された閉鎖ユニット２８など、酸化触媒２０における排気ガスの空間速度を制御するユニットが設けられている。例を挙げると、触媒入口から触媒出口へ排気が流れる通路２４，２６を備えるハニカムタイプのモノリスとして酸化触媒２０が形成される。閉鎖ユニット２８は、特定の動作位置の間で切り換えられると、酸化触媒２０中の通路２６を開閉できる。閉鎖ユニット２８を利用して、酸化触媒２０中の排気ガスに利用可能な通路２４，２６の総数を変更できる。第１位置（図２ａ）の閉鎖ユニット２８によって通路２６が閉じられる場合には、排気ガス流が通路２４へ強制流通することで、排気ガスにとって有効な触媒容積を減少させる。この場合には、少量のＮＯ２のみが生成される。閉鎖ユニット２８が別の動作位置へ切り換えられた場合には、通路２４に加えて通路２６が開く。排気ガスはすべての通路２４，２６を流れて、排気ガスを酸化するための触媒材料が多量になり、ＮＯ２出力の増加をもたらす（図２ｂ）。
【００６１】
図３は、図２ａ，２ｂに図示された酸化触媒２０を概略的に示す。酸化触媒２０は、通路２６を開閉するように傾斜できる多数の旋回プレート２８ａを包囲する閉鎖ユニット２８を包含する。図３では、各プレート２８ａに曲線矢印で示されているように、プレート２８ａは、開位置から閉位置まで移動する。
【００６２】
付加的または代替的に、閉鎖ユニット２８は、酸化触媒２０の前面において縦方向に移動する多数の開口部を備える一つ以上の穿設窓（不図示）を包含してもよい。開口部の間の間隔が異なるこのような窓が２個、酸化触媒２０の前面に重複状態で配置され、一つの位置では第１窓のいくつかの開口部が他の重複物の開口部と重複し、第１開口部重複物の他の開口部が他の窓により閉鎖され、別の位置ではさらに多くまたはすべての開口部が排気ガスの通路となるように縦方向に相対移動すると好都合である。
【００６３】
付加的または代替的に、前述したように閉鎖ユニット２８（不図示）を利用して個々の通路２４，２６の有効断面積を変化させることが可能である。
【００６４】
付加的に（不図示）、通路２４，２６には異なる直径などが見られる、および／または異なる触媒材料が供給される、および／または異なる密度の触媒材料が備えられる。通路２４および／または通路２６に触媒材料の密度勾配を設けることも可能である。密度勾配は、酸化触媒２０の片側から反対側への排気ガス流と直角の配向を持つ。閉鎖ユニット２８が酸化触媒２０の通路２４および／または２６の一部を被覆してカバーが取り除かれた場合には、触媒反応性の変化は通路容積の増減よりも著しい。
【００６５】
好適な閉鎖２８の別の実施例（不図示）は、排気ガスに露出される触媒２０の有効表面を変化させるカメラレンズ絞りの種類の可動プレートを設けることである。
【００６６】
好適な酸化触媒２０の別の実施例（不図示）は、排気ガスを高い排気ガス速度ではエリア全体に分散させて、低い速度では中央に集中させる入口設計を設けることである。
【００６７】
閉鎖ユニット２８は、ＳＣＲ触媒７０へ流入する排気に含有されるＮＯ２の量を検知するために設けられた検知ユニット４０に結合され、データライン４６を介して検知ユニット４０の制御ユニット４２から制御信号を受け取る。粒子フィルタ６０の下流の排気ライン１４に配置されたＮＯ２感知センサ５０は、データライン４８を介して制御ユニット４２に結合されている。閉鎖ユニット２８は、酸化触媒２０のフローガイドと組み合わされる、および／またはフローガイドとして形成される。
【００６８】
任意で、エンジン１２の動作パラメータ、および／または排気後処理システム１０に配置された一つ以上の触媒２０，６０，７０の動作パラメータに応じて、ＳＣＲ触媒７０へ流入するＮＯ２の量を計算することで、仮想ＮＯ２センサを形成する装置４４を検知ユニット４０が包含する。
【００６９】
すなわち、仮想センサは、プログラマブルマイクロコンピュータでプログラムが実行される時には、好適な制御方法を実施するのに適した、または上述した特徴の少なくとも一つによる制御方法で使用するためのソフトウェアコードを包含するコンピュータプログラムの一部であり、インターネットに接続されたコンピュータで実行される時にはサポートユニットまたはその部品の一つにダウンロードされる。
【００７０】
好適な制御方法では、一例である好適な排気後処理システムとともに、排出物質を低減させるため排気後処理システムに燃料を追加することを必要とせずにＮＯ２により良好な煤煙燃焼を行って、エンジンの広い負荷速度作用エリアでのＮＯ２およびＮ２Ｏの排出物質および煤煙を制御、特に抑制することができる。
【００７１】
一般的に、上述した本発明の両実施例では、実時間条件で排気ガス後処理システムを作動させることが可能である。これは、図１に例示されたバイパスライン２２に関連する実施例と、図２ａ，２ｂ，３に例示された空間速度の変化に関連する実施例について可能である。
【００７２】
好都合な別の実施例によれば、図５は、粒子フィルタ６０の上流に配置された酸化触媒２０を迂回するバイパスライン２２を備える好適な排気後処理システム１０を包含する図１，２ａ，２ｂ，３に図示された両実施例の組合せを示し、後のＳＣＲ触媒７０の入力として必要な一定のＮＯ２／ＮＯ混合ガスの生成を制御するため、酸化触媒２０の空間速度は可変である。構成のさらなる詳細については、図１，２ａ，２ｂ，３の説明を参照すること。
【００７３】
ＮＯ２／ＮＯ比の実時間制御を最適化するため、バイパスライン２２（図１，図５）にバッファを結合することも可能である。ガス容量が多すぎる、および／または混合ガスの組成のバランスが悪すぎるため、生成された一定量の排気ガスが本発明による良好な方法で処理できないという、特定の状況またはエンジン動作モードが発生することがある。このような状況では、触媒２０の上流および／または下流の排気ガスシステム１０に接続されるか接続可能である中間バッファに一定量の排気ガスを制御可能な方法で保管すると好都合である。長時間にわたって所望の比のＮＯ２／ＮＯ混合ガスを安定化させるのに必要な成分の混合比を最適化するため、余剰量の排気ガスを除去するか、不足量の排気ガスを排気ガスシステムに噴射することにより、このバッファが能動的に使用される、または使用されるべきである。このバッファは、排気ガスシステム内の動作（平均）圧力よりも高い圧力で排気ガスが通常は保管される固定バッファである（バッファは、バッファへ排気ガスを供給するポンプと、バッファからガスを排出するバルブとに接続されている）。代替的に、（気球のような）可撓壁を備えるバッファが使用されてもよい。
【符号の説明】
【００７４】
１０        排気後処理システム
１２        エンジン
１４        排気ライン
１６        第１分岐点
１８        第２分岐点
２０        酸化触媒
２２        バイパスライン
２４，２６  通路
２８        閉鎖ユニット
２８ａ      旋回プレート
３０        制御可能バルブ
４０        検知ユニット
４２        制御ユニット
４４        装置
４６，４８  データライン
５０        ＮＯ２感知センサ
６０        粒子フィルタ
６２        噴射器
６６        パラメータ
７０        ＳＣＲ触媒
【図１】
2010519458.tif 000003
【図２ａ】
2010519458.tif 000004
【図２ｂ】
2010519458.tif 000005
【図３】
2010519458.tif 000006
【図４】
2010519458.tif 000007
【図５】
2010519458.tif 000008
【手続補正書】
【提出日】平成20年12月17日(2008.12.17)
【手続補正１】
【補正対象書類名】特許請求の範囲
【補正対象項目名】全文
【補正方法】変更
【補正の内容】
【特許請求の範囲】
【請求項１】
排気ガスの一つ以上の成分が酸化触媒（２０）で酸化され、前記排気ガスの前記一つ以上の成分と選択的触媒還元触媒（７０）に配置された触媒材料との間で可能な異なるタイプの一群の化学反応により前記排気ガスの前記一つ以上の成分が脱酸素されて、前記排気ガスが前記酸化触媒（２０）から前記選択的触媒還元触媒（７０）へ流れる、エンジン（１２）の排気後処理システム（１０）におけるＮＯ／ＮＯ２比を制御するための制御方法において、
（ａ）前記一つ以上の成分による一対以上の間の少なくとも一つの所望の比に応じて前記酸化触媒（２０）における前記排気ガスの流れを制御することであって、前記一つ以上の成分による前記一対以上の間の前記少なくとも一つの所望の比で前記排気ガスが前記選択的触媒還元触媒（７０）へ流入することと、
（ｂ）前記選択的触媒還元触媒（７０）の入力において前記一つ以上の成分による一対以上の間の前記少なくとも一つの所望の比を設定することと、
（ｃ）所定の反応温度または温度範囲を選択して前記選択的触媒還元触媒（７０）において前記反応温度または温度範囲を設定することであって、前記選択的触媒還元触媒（７０）へ前記排気ガスを入力することにより、前記排気ガスの前記一つ以上の成分と前記選択的触媒還元触媒（７０）の触媒材料との間で可能な一群の異なる化学反応のうちの一つの特定化学反応が行われる確率が上昇し、選択された前記特定化学反応の前記反応確率が、選択されていない他の化学反応の各々の反応確率より高く、前記酸化触媒（２０）と前記選択的触媒還元触媒（７０）との間に配置された粒子フィルタ（６０）に含有される煤煙の量に応じて前記一つ以上の成分の間の比が設定され、前記一つ以上の成分の間の比が、前記粒子フィルタ（６０）で発生されるＮＯ２の量に応じて設定されることと、
を特徴とする方法。
【請求項２】
前記酸化触媒（２０）を流れる第１部分と、前記酸化触媒（２０）を迂回するバイパスライン（２２）を流れる第２ラインとの間で前記酸化触媒（２０）における前記排気ガスの流れを分割することにより、前記流れを制御することを特徴とする、請求項１に記載の方法。
【請求項３】
前記酸化触媒（２０）における前記排気ガスの空間速度を変化させることにより前記酸化触媒（２０）における前記排気ガスの流れを制御することを特徴とする、請求項１または２に記載の方法。
【請求項４】
前記一つ以上の成分の間の前記比が１に近いが好ましくは１を超えないＮＯ２／ＮＯ比である、すなわちＮＯ２／ＮＯ比＝０．８±０．２、好ましくはＮＯ２／ＮＯ＝０．９±０．１、最も好ましくはＮＯ２／ＮＯ＝０．９５１±０．０５である、請求項１乃至３の一つに記載の方法。
【請求項５】
前記酸化触媒（２０）で発生されるＮＯ２の量に応じて前記一つ以上の成分の間の前記比が設定されることを特徴とする、請求項１乃至４の一つに記載の方法。
【請求項６】
前記酸化触媒（２０）で吸着される硫黄の量に応じて前記一つ以上の成分の間の前記比が設定されることを特徴とする、請求項１乃至５の一つに記載の方法。
【請求項７】
前記選択的触媒還元触媒（７０）に提供されるアンモニアの量に応じて前記一つ以上の成分の間の前記比が設定されることを特徴とする、請求項１乃至６の一つに記載の方法。
【請求項８】
前記エンジン（１２）の運転パラメータ、および／または前記排気後処理システム（１０）に配置された一つ以上の触媒（２０，６０，７０）の動作パラメータに応じて、前記バイパスライン（２２）へ供給される排気ガスと前記酸化触媒（２０）へ供給される排気ガスとの比が計算されることを特徴とする、請求項１乃至７の一つに記載の方法。
【請求項９】
請求項１乃至８のいずれかに記載の方法で作動する、酸化触媒（２０）とエンジン（１２）の排気ライン（１４）に配置された選択的触媒還元触媒（７０）とを少なくとも包含する、排気ガスのＮＯ／ＮＯ２比を制御するための排気後処理システムにおいて、
一つ以上の成分による一対以上の間の少なくとも一つの所望の比に応じて前記酸化触媒（２０）における前記排気ガスの流れが制御可能であり、前記一つ以上の成分による前記一対以上の間の前記少なくとも一つの所望の比で前記排気ガスが前記選択的触媒還元触媒（７０）へ流入し、
前記選択的触媒還元触媒（７０）の入力において前記一つ以上の成分による前記一対以上の間の前記少なくとも一つの所望の比が設定され、
所定の反応温度または温度範囲が選択可能であって前記選択的触媒還元触媒（７０）で設定され、前記選択的触媒還元触媒（７０）へ排気ガスを入力することにより、前記排気ガスの一つ以上の成分と前記選択的触媒還元触媒（７０）の触媒材料との間で可能な一群の異なる化学反応のうち一つの特定化学反応が行われる確率が上昇し、選択された前記特定化学反応の反応確率が、選択されていない他の化学反応の各々の反応確率よりも高く、前記酸化触媒（２０）と前記選択的触媒還元触媒（７０）との間に粒子フィルタ（６０）が配置される、
ことを特徴とする排気後処理システム。
【請求項１０】
前記成分の要素の間の所望の比に応じて、前記酸化触媒（２０）と、前記酸化触媒（２０）を迂回するバイパスライン（２２）とにおける前記排気ガスの流れを制御するためのバルブ（３０）が設けられることを特徴とする、請求項９に記載の排気システム。
【請求項１１】
前記酸化触媒（２０）における前記排気ガスの空間速度を制御するための一つ以上の閉鎖ユニット（２８）が設けられることを特徴とする、請求項９または１０に記載の排気システム。
【請求項１２】
前記選択的触媒還元触媒（７０）へ流入する前記排気に含有されるＮＯ２の量を検知するための検知ユニット（４０）が設けられることを特徴とする、請求項９乃至１１の一つに記載の排気システム。
【請求項１３】
前記粒子フィルタ（６０）の下流の前記排気ライン（１４）に配置されたＮＯ２感知センサ（５０）を前記検知ユニット（４０）が包含することを特徴とする、請求項１２に記載の排気システム。
【請求項１４】
前記エンジン（１２）の運転パラメータ、および／または前記排気後処理システム（１０）に配置された一つ以上の触媒（２０，６０，７０）の動作パラメータとに応じて、前記選択的触媒還元触媒（７０）へ流入するＮＯ２の量を計算することにより仮想センサとなる装置（４４）を前記検知ユニット（４０）が包含することを特徴とする、請求項１２または１３に記載の排気システム。
【請求項１５】
（ａ）前記一つ以上の成分による一対以上の間の少なくとも一つの所望の比に応じて酸化触媒（２０）における排気ガスの流れを制御する段階であって、前記一つ以上の成分による前記一対以上の間の前記少なくとも一つの所望の比で、前記排気ガスが前記選択的触媒還元触媒（７０）へ流入する段階と、
（ｂ）前記選択的触媒還元触媒（７０）の入力において前記一つ以上の成分による前記一対以上の間の前記少なくとも一つの所望の比を設定する段階と、
（ｃ）所定の反応温度または温度範囲を選択して前記選択的触媒還元触媒（７０）で前記反応温度または温度範囲を設定し、前記選択的触媒還元触媒（７０）へ前記排気ガスを入力することにより、前記排気ガスの前記一つ以上の成分と前記選択的触媒還元触媒（７０）の触媒材料との間で可能な一群の異なる化学反応のうちの一つの特定化学反応が行われる確率が上昇し、選択された前記特定化学反応の反応確率が、選択されていない他の化学反応の各々の反応確率よりも高く、前記酸化触媒（２０）と前記選択的触媒還元触媒（７０）との間に配置された粒子フィルタ（６０）に含有される煤煙の量に応じて、前記一つ以上の成分の間の比が設定され、前記粒子フィルタ（６０）で生成されるＮＯ２の量に応じて前記一つ以上の成分の間の比が設定される段階と、
を少なくとも包含する方法に使用するためのプログラムコードを包含する、コンピュータ読取可能媒体に記憶可能なコンピュータプログラム。
【国際調査報告】
2010519458.tif 000009
2010519458.tif 000010
2010519458.tif 000011
2010519458.tif 000012